(57)【要約】【課題】使用者が握り易く且つ滑り難い手すりを提供すること。【解決手段】手すり１００によれば、第１隅１１の円弧半径Ｒ１が第２隅部１３の円弧半径Ｒ２よりも大きく設定されているので、第１隅部１１の厚みを第２隅部１３の厚みよりも厚くできる分、親指で握られる第１隅部１１を人間工学の見地に基づいて握り易くできる。一方、第２隅部１３の厚みを第１隅部１１の厚みよりも薄くできる分、親指以外の指で握られる第２隅部１３を人間工学の見地に基づいて握り易くできる。よって、握り易くできる。また、第１隅部１１の厚みを第２隅部１３の厚みよりも厚くできる分、第１隅部１１への親指の接触面積を大きく確保することができる。一方、第２隅部１３の厚みを第１隅部１１の厚みよりも薄くできる分、第２隅部１３への親指以外の指の指先の引っ掛かりを良くすることができる。よって、滑り難くできる。【選択図】図２
2010138665.tif 000002
【特許請求の範囲】
【請求項１】
床面に沿って水平に延設される支持部材を備え、その支持部材により使用者の身体を支える手すりにおいて、
前記支持部材は、
その支持部材の上面であって前記床面に対して平行な平坦面状に形成される上面部と、
その上面部の端部であって前記使用者が位置する側に連設される第１隅部と、
前記上面部の端部であって前記使用者が位置する側とは反対側に連設される第２隅部とを備え、
前記第１隅部および前記第２隅部は、前記支持部材の長手方向と直交する断面においていずれも外方へ凸の円弧状に形成されると共に、前記第１隅部の円弧半径が前記第２隅部の円弧半径よりも大きく設定されていることを特徴とする手すり。
【請求項２】
前記支持部材は、前記第１隅部の端部であって前記上面部が連設される側とは反対側に連設されると共に平坦面状に形成される平坦面部を備えていることを特徴とする請求項１記載の手すり。
【請求項３】
前記平坦面部は、前記上面部に対して垂直に構成されていることを特徴とする請求項２記載の手すり。
【請求項４】
前記平坦面部は、前記第１隅部よりも第２隅部側へずれて位置すると共に、前記第１隅部に連設される側の端部が前記支持部材の長手方向と直交する断面において内方へ凹の円弧状に形成されていることを特徴とする請求項３記載の手すり。
【請求項５】
前記平坦面部は、前記上面部とのなす角度が鋭角となるように前記第２隅部側へ傾斜して構成されていることを特徴とする請求項２記載の手すり。
【請求項６】
前記支持部材は、前記第２隅部の端部であって前記上面部が連設される側とは反対側に連設されると共に平坦面状に形成される傾斜面部を備え、
その傾斜面部は、前記上面部とのなす角度が鋭角となるように前記第１隅部側へ傾斜して構成され、
前記平坦面部および前記傾斜面部は、前記平坦面部と前記上面部とのなす角度が前記傾斜面部と前記上面部とのなす角度よりも大きく設定されていることを特徴とする請求項５記載の手すり。
【請求項７】
前記平坦面部は、一端部が前記第１隅部の端部であって前記上面部が連設される側とは反対側に連設されると共に、他端部が前記第２隅部の端部であって前記上面部が連設される側とは反対側に連設されていることを特徴とする請求項２記載の手すり。
【発明の詳細な説明】
【技術分野】
【０００１】
本発明は、手すりに関し、特に、使用者が握り易く且つ滑り難い手すりに関するものである。
【背景技術】
【０００２】
従来、トイレ又は浴室あるいは洗面所などには、使用者の立ち上がりや歩行などの動作を補助する補助具として、使用者の身体を支えるための手すりが設置されている。この種の手すりとして、例えば、特許文献１には、使用者が握り部を握り易いように、握り部の上面と側面との間に曲面部を設けた手すりが開示されている。
【０００３】
しかしながら、単に握り部の上面と側面との間に曲面部を設けるだけでは、実際に使用者が握り部を握った場合には、十分に握り易いものではなかった。
【０００４】
これに対し、特許文献２には、手すり本体の横断面形状を厚みの大きい大径部と厚みの小さい小径部とが併設された空豆形状とし、かかる横断面形状を左右非対称とした手すりが開示されている。  
【特許文献１】特開２００２−７０２７９号公報
【特許文献２】特開２００２−１１５３８１号公報
【発明の開示】
【発明が解決しようとする課題】
【０００５】
しかしながら、特許文献２に開示される手すりでは、特許文献１に開示される手すりと比較すれば握り易くはなったものの、未だ十分ではないという問題点があった。また、十分に握り易いものではない分、滑り易いという問題点もあった。
【０００６】
本発明は、上述した問題点を解決するためになされたものであり、使用者が握り易く且つ滑り難い手すりを提供することを目的としている。
【課題を解決するための手段】
【０００７】
この目的を達成するために、請求項１記載の手すりは、床面に沿って水平に延設される支持部材を備え、その支持部材により使用者の身体を支えるものであって、前記支持部材は、その支持部材の上面であって前記床面に対して平行な平坦面状に形成される上面部と、その上面部の端部であって前記使用者が位置する側に連設される第１隅部と、前記上面部の端部であって前記使用者が位置する側とは反対側に連設される第２隅部とを備え、前記第１隅部および前記第２隅部は、前記支持部材の長手方向と直交する断面においていずれも外方へ凸の円弧状に形成されると共に、前記第１隅部の円弧半径が前記第２隅部の円弧半径よりも大きく設定されている。
【０００８】
請求項２記載の手すりは、請求項１記載の手すりにおいて、前記支持部材は、前記第１隅部の端部であって前記上面部が連設される側とは反対側に連設されると共に平坦面状に形成される平坦面部を備えている。
【０００９】
請求項３記載の手すりは、請求項２記載の手すりにおいて、前記平坦面部は、前記上面部に対して垂直に構成されている。
【００１０】
請求項４記載の手すりは、請求項３記載の手すりにおいて、前記平坦面部は、前記第１隅部よりも第２隅部側へずれて位置すると共に、前記第１隅部に連設される側の端部が前記支持部材の長手方向と直交する断面において内方へ凹の円弧状に形成されている。
【００１１】
請求項５記載の手すりは、請求項２記載の手すりにおいて、前記平坦面部は、前記上面部とのなす角度が鋭角となるように前記第２隅部側へ傾斜して構成されている。
【００１２】
請求項６記載の手すりは、請求項５記載の手すりにおいて、前記支持部材は、前記第２隅部の端部であって前記上面部が連設される側とは反対側に連設されると共に平坦面状に形成される傾斜面部を備え、その傾斜面部は、前記上面部とのなす角度が鋭角となるように前記第１隅部側へ傾斜して構成され、前記平坦面部および前記傾斜面部は、前記平坦面部と前記上面部とのなす角度が前記傾斜面部と前記上面部とのなす角度よりも大きく設定されている。
【００１３】
請求項７記載の手すりは、請求項２記載の手すりにおいて、前記平坦面部は、一端部が前記第１隅部の端部であって前記上面部が連設される側とは反対側に連設されると共に、他端部が前記第２隅部の端部であって前記上面部が連設される側とは反対側に連設されている。
【発明の効果】
【００１４】
請求項１記載の手すりによれば、使用者が上面部を手の平で覆うようにして支持部材を握った場合には、通常、使用者に近い側の第１隅部は親指で握られる一方、使用者から遠い側の第２隅部は親指以外の指（人指し指から小指までの４本の指）で握られる。
【００１５】
ここで、第１隅部および第２隅部は、支持部材の長手方向と直交する断面においていずれも外方へ凸の円弧状に形成され、第１隅部の円弧半径が第２隅部の円弧半径よりも大きく設定されているので、第１隅部の厚みを第２隅部の厚みよりも厚くできる分、親指で握られる第１隅部を人間工学の見地（親指は他の指と比較して厚みの薄いものよりも厚い方が握り易いという見地）に基づいて握り易くできる。一方、第２隅部の厚みを第１隅部の厚みよりも薄くできる分、親指以外の指で握られる第２隅部を人間工学の見地（親指以外の指は親指と比較して厚みの厚いものよりも薄い方が握り易いという見地）に基づいて握り易くできる。よって、使用者にとって支持部材を握り易いものとすることができるという効果がある。
【００１６】
また、第１隅部の厚みを第２隅部の厚みよりも厚くできる分、第１隅部への親指の接触面積を大きく確保することができ、支持部材と親指との間に生じる摩擦力を高めることができる。一方、第２隅部の厚みを第１隅部の厚みよりも薄くできる分、第２隅部への親指以外の指の指先の引っ掛かりを良くすることができる。よって、使用者が支持部材を握った場合に滑り難くできるという効果がある。更に、第１隅部への親指の接触面積を大きく確保できると共に第２隅部への親指以外の指の指先の引っ掛かりを良くできる分、使用者が支持部材を握った際の安定感を向上させることができるという効果がある。
【００１７】
また、本発明によれば、上面部は、床面に対して平行な平坦面状に形成されているので、例えば、握力が弱く支持部材をしっかりと握ることが困難な高齢者や身障者にあっても、上面部に手の平や肘などをのせて身体を支えることができるという効果がある。更に、上面部を床面に対して平行な平坦面状に形成することで、使用者が痛みを伴うことなく上面部に手の平や肘などをのせることができると共に、使用者が上面部に手の平や肘などをのせて身体を支えた場合に滑り難くできるという効果がある。
【００１８】
請求項２記載の手すりによれば、請求項１記載の手すりの奏する効果に加え、支持部材は、第１隅部に連設されると共に平坦面状に形成される平坦面部を備えているので、使用者が上面部を手の平で覆うようにして支持部材を握った場合に、第１隅部の範囲からはみ出した親指の指先を平坦面部に沿わせることができる。よって、支持部材への親指の接触面積をより大きく確保することができ、使用者が支持部材を握った際の安定感を一層向上させることができるという効果がある。
【００１９】
また、支持部材への親指の接触面積をより大きく確保できる分、支持部材と親指との間に生じる摩擦力を高めることができ、使用者が支持部材を握った場合に一層滑り難くできるという効果がある。更に、平坦面部を平坦面状に形成することで、親指を無理に曲げなくとも指先を平坦面部に沿わせることができ、使用者にとって支持部材を一層握り易いものとすることができるという効果がある。
【００２０】
請求項３記載の手すりによれば、請求項２記載の手すりの奏する効果に加え、平坦面部は、上面部に対して垂直に構成されているので、使用者が支持部材を握って身体を支えた場合に、支持部材に加えられる使用者の体重の垂直方向成分を上面部で、水平方向成分を平坦面部で、それぞれ分担して受けることができる。よって、支持部材に加えられる使用者の体重の水平方向成分を平坦面部で受けることができるので、使用者が支持部材を握って斜め上方から身体を支えた場合でも滑り難くできるという効果がある。
【００２１】
請求項４記載の手すりによれば、請求項３記載の手すりの奏する効果に加え、平坦面部は、第１隅部よりも第２隅部側へずれて位置しているので、使用者が上面部を手の平で覆うようにして支持部材を握った場合に、親指を無理に曲げなくとも指先を平坦面部に沿わせることができる。即ち、第１隅部を親指で握ると、指先は必然的に第２隅部側を向くので、平坦面部を第１隅部よりも第２隅部側にずれて位置させることで、親指を無理に曲げなくとも指先を平坦面部に沿わせることができる。よって、使用者にとって支持部材を一層握り易いものとすることができるという効果がある。
【００２２】
また、本発明によれば、平坦面部は、第１隅部に連設される側の端部が支持部材の長手方向と直交する断面において内方へ凹の円弧状に形成されているので、平坦面部を第１隅部よりも第２隅部側へずれて位置させる構成にあっても、親指を支持部材に密着させることができる。即ち、平坦面部を第１隅部よりも第２隅部側へずれて位置させる構成では、平坦面部と第１隅部との間に段差が生じ、親指が支持部材から離れ易くなるところ、第１隅部に連設される側の平坦面部の端部を上記のように形成することで、親指を支持部材に密着させることができる。よって、支持部材への親指の接触面積をより大きく確保することができ、使用者が支持部材を握った際の安定感を一層向上させることができるという効果がある。また、支持部材への親指の接触面積をより大きく確保できる分、支持部材と親指との間に生じる摩擦力を高めることができ、使用者が支持部材を握った場合に一層滑り難くできるという効果がある。
【００２３】
請求項５記載の手すりによれば、請求項２記載の手すりの奏する効果に加え、平坦面部は、上面部とのなす角度が鋭角となるように第２隅部側へ傾斜して構成されているので、使用者が上面部を手の平で覆うようにして支持部材を握った場合に、親指を無理に曲げなくとも指先を平坦面部に沿わせることができる。即ち、第１隅部を親指で握ると、指先は必然的に第２隅部側を向くので、上面部とのなす角度が鋭角となるように平坦面部を第２隅部側へ傾斜させることで、親指を無理に曲げなくとも指先を平坦面部に沿わせることができる。よって、使用者にとって支持部材を一層握り易いものとすることができるという効果がある。
【００２４】
請求項６記載の手すりによれば、請求項５記載の手すりの奏する効果に加え、支持部材は、第２隅部に連設されると共に平坦面状に形成される傾斜面部を備えているので、使用者が上面部を手の平で覆うようにして支持部材を握った場合に、第２隅部の範囲からはみ出した親指以外の指の指先を傾斜面部に沿わせることができる。よって、支持部材への親指以外の指の接触面積をより大きく確保することができ、使用者が支持部材を握った際の安定感を一層向上させることができるという効果がある。
【００２５】
また、支持部材への親指以外の指の接触面積をより大きく確保できる分、支持部材と親指以外の指との間に生じる摩擦力を高めることができ、使用者が支持部材を握った場合に一層滑り難くできるという効果がある。更に、傾斜面部を平坦面状に形成することで、親指以外の指を無理に曲げなくとも指先を傾斜面部に沿わせることができ、使用者にとって支持部材を一層握り易いものとすることができるという効果がある。
【００２６】
また、本発明によれば、傾斜面部は、上面部とのなす角度が鋭角となるように第１隅部側へ傾斜して構成されているので、親指以外の指を無理に曲げなくとも指先を傾斜面部に沿わせることができる。即ち、第２隅部を親指以外の指で握ると、指先は必然的に第１隅部側を向くので、上面部とのなす角度が鋭角となるように傾斜面部を第１隅部側へ傾斜させることで、親指以外の指を無理に曲げなくとも指先を傾斜面部に沿わせることができる。よって、使用者にとって支持部材を一層握り易いものとすることができるという効果がある。
【００２７】
更に、本発明によれば、平坦面部および傾斜面部は、平坦面部と上面部とのなす角度が傾斜面部と上面部とのなす角度よりも大きく設定されているので、平坦面部の厚みを傾斜面部の厚みよりも厚くできる分、親指で握られる平坦面部を人間工学の見地（親指は他の指と比較して厚みの薄いものよりも厚い方が握り易いという見地）に基づいて握り易くできる。一方、傾斜面部の厚みを平坦面部の厚みよりも薄くできる分、親指以外の指で握られる傾斜面部を人間工学の見地（親指以外の指は親指と比較して厚みの厚いものよりも薄い方が握り易いという見地）に基づいて握り易くできる。よって、使用者にとって支持部材を一層握り易いものとすることができるという効果がある。
【００２８】
また、平坦面部の厚みを傾斜面部の厚みよりも厚くできる分、平坦面部への親指の接触面積を大きく確保することができ、支持部材と親指との間に生じる摩擦力を高めることができる。一方、傾斜面部の厚みを平坦面部の厚みよりも薄くできる分、傾斜面部への親指以外の指の指先の引っ掛かりを良くすることができる。よって、使用者が支持部材を握った場合に一層滑り難くできるという効果がある。更に、平坦面部への親指の接触面積を大きく確保できると共に傾斜面部への親指以外の指の指先の引っ掛かりを良くできる分、使用者が支持部材を握った際の安定感を一層向上させることができるという効果がある。
【００２９】
請求項７記載の手すりによれば、請求項２記載の手すりの奏する効果に加え、平坦面部は、一端部が第１隅部に連設されると共に他端部が第２隅部に連設されているので、使用者が上面部を手の平で覆うようにして支持部材を握った場合に、親指と共に、第２隅部の範囲からはみ出した親指以外の指の指先を平坦面部に沿わせることができる。よって、支持部材への親指以外の指の接触面積をより大きく確保することができ、使用者が支持部材を握った際の安定感を一層向上させることができるという効果がある。
【００３０】
また、支持部材への親指以外の指の接触面積をより大きく確保できる分、支持部材と親指以外の指との間に生じる摩擦力を高めることができ、使用者が支持部材を握った場合に一層滑り難くできるという効果がある。更に、親指の指先および親指以外の指の指先を全て平坦面部に沿わせることができるので、親指以外の指の指先を沿わせるため部位を別に設ける必要がなく、支持部材の構成を簡素化できるという効果がある。
【発明を実施するための最良の形態】
【００３１】
以下、本発明の好ましい実施の形態について添付図面を参照して説明する。まず、図１から図３を参照して、本発明の第１実施の形態における手すり１００について説明する。
【００３２】
図１は、第１実施の形態における手すり１００の斜視図であり、図２は、図１のＩＩ−ＩＩ線における手すり１００の断面図である。また、図３（ａ）から（ｃ）は、手すり１００の使用方法を説明する図である。なお、図１から図３では、手すり１００がトイレＴに設置された状態を示している。
【００３３】
まず、図１を参照して、手すり１００の概略構成について説明する。手すり１００は、例えば、足腰の弱った高齢者や足の不自由な身障者（以下「使用者」と称す）の立ち上がりや歩行などの動作を補助する補助具としてトイレＴに設置されるものであり、図１に示すように、使用者の身体を支えるための支持部材１と、その支持部材１を支持してトイレＴの壁面Ｗに固定するための固定部材２とを備えて構成されている。
【００３４】
支持部材１は、トイレＴの床面Ｆに沿って水平に延設される部材であり、図１に示すように、棒状に構成され、上面部１０を備えている。上面部１０は、支持部材１の上面を形成する部位であり、図１に示すように、トイレＴの床面Ｆに対して平行な平坦面状に形成されている。この上面部１０は、後述するように、使用者が支持部材１で身体を支える場合に、手の平や肘などがのせられる部位となる。
【００３５】
なお、上述した水平とは、支持部材１の延設方向が垂直方向と直交する場合のみを限定するものではなく、支持部材１の延設方向が水平方向に対して所定角度（例えば、±５°）以内で傾斜する場合を含む趣旨である。また、上述した平行とは、上面部１０と床面Ｆとのなす角度が０°である場合のみを限定するものではなく、支持部材１の長手方向および長手方向と直交する方向の両方向において上面部１０と床面Ｆとのなす角度が所定角度（例えば、±５°）以内で傾斜する場合を含む趣旨である。
【００３６】
固定部材２は、ねじ等（図示せず）によりトイレＴの壁面Ｗに取り付けられる部材であり、図１に示すように、支持部材１の長手方向の両端２か所において後述する下面部１５（図２参照）を支持するように構成されている。
【００３７】
なお、固定部材２による支持部材１の支持位置は、必ずしも長手方向の両端２か所に限られるものではなく、例えば、長手方向の全域を固定部材２により支持するように構成しても良い。
【００３８】
次いで、図２を参照して、支持部材１の詳細構成について説明する。なお、図２では、支持部材１の長手方向と直交する断面を示している。また、図２では、使用者Ｐの手を二点鎖線で図示し、使用者Ｐが上面部１０を手の平で覆うようにして支持部材１を握った状態を示している。
【００３９】
図２に示すように、支持部材１は、長手方向と直交する断面において、上述した上面部１０の一端部に連設される第１隅部１１と、その第１隅部１１に連設される平坦面部１２と、上面部１０の他端部に連設される第２隅部１３と、その第２隅部１３に連設される垂直面部１４と、下面部１５とを主に備えて構成されている。なお、支持部材１は、長手方向と直交する断面が長手方向の全域で一様とされている。
【００４０】
第１隅部１１は、上面部１０の端部であってトイレＴの壁面Ｗから遠い側、即ち、使用者Ｐが位置する側に連設される部位であり、図２に示すように、外方へ凸の円弧状に形成され、その円弧半径がＲ１に設定されている。この第１隅部１１は、図２の二点鎖線で示すように、使用者Ｐが上面部１０を手の平で覆うようにして支持部材１を握った場合には、通常、親指で握られる部位となる。
【００４１】
平坦面部１２は、第１隅部１１の端部であって上面部１０が連設される側とは反対側に連設される部位であり、図２に示すように、上面部１０に対して垂直な平坦面状に形成されている。この平坦面部１２は、図２の二点鎖線で示すように、使用者Ｐが上面部１０を手の平で覆うようにして支持部材１を握った場合には、第１隅部１１の範囲からはみ出した親指の指先が接する部位となる。
【００４２】
これにより、使用者Ｐが上面部１０を手の平で覆うようにして支持部材１を握った場合に、親指の指先を平坦面部１２に沿わせることができる。よって、支持部材１への親指の接触面積をより大きく確保することができ、使用者Ｐが支持部材１を握った際の安定感を向上させることができる。
【００４３】
また、支持部材１への親指の接触面積をより大きく確保できる分、支持部材１と親指との間に生じる摩擦力を高めることができ、使用者Ｐが支持部材１を握った場合に滑り難くできる。更に、平坦面部１２を平坦面状に構成することで、親指を無理に曲げなくとも指先を平坦面部１２に沿わせることができ、使用者Ｐにとって支持部材１を握り易いものとすることができる。
【００４４】
また、平坦面部１２は、上面部１０に対して垂直に構成されているので、使用者Ｐが支持部材１を握って身体を支えた場合に、支持部材１に加えられる使用者Ｐの体重の垂直方向成分を上面部１０で、水平方向成分を平坦面部１２で、それぞれ分担して受けることができる。よって、支持部材１に加えられる使用者Ｐの体重の水平方向成分を平坦面部１２で受けることができるので、使用者Ｐが支持部材１を握って斜め上方から身体を支えた場合でも滑り難くできる。
【００４５】
また、図２に示すように、平坦面部１２は、第１隅部１１よりも第２隅部１３側へずれて位置すると共に、第１隅部１１に連設される側の端部１２ａが内方へ凹の円弧状に形成されている。
【００４６】
これにより、親指を無理に曲げなくとも指先を平坦面部１２に沿わせることができる。即ち、第１隅部１１を親指で握ると、指先は必然的に第２隅部１３側を向くので、平坦面部１２を第１隅部１１よりも第２隅部１３側にずれて位置させることで、親指を無理に曲げなくとも指先を平坦面部１２に沿わせることができる。よって、使用者Ｐにとって支持部材１を一層握り易いものとすることができる。
【００４７】
また、平坦面部１２は、第１隅部１１に連設される側の端部１２ａが内方へ凹の円弧状に形成されているので、平坦面部１２を第１隅部１１よりも第２隅部側１３へずれて位置させる構成にあっても、親指を支持部材１に密着させることができる。即ち、平坦面部１２を第１隅部１１よりも第２隅部１３側へずれて位置させる構成では、平坦面部１２と第１隅部１１との間に段差が生じ、親指が支持部材１から離れ易くなるところ、第１隅部１１に連設される側の端部１２ａを上記のように形成することで、親指を支持部材１に密着させることができる。よって、支持部材１への親指の接触面積をより大きく確保することができ、使用者Ｐが支持部材１を握った際の安定感を一層向上させることができる。また、支持部材１への親指の接触面積をより大きく確保できる分、支持部材１と親指との間に生じる摩擦力を高めることができ、使用者Ｐが支持部材１を握った場合に一層滑り難くできる。
【００４８】
第２隅部１３は、上面部１０の端部であってトイレＴの壁面Ｗに近い側、即ち、使用者Ｐが位置する側とは反対側に連設される部位であり、図２、外方へ凸の円弧状に形成され、その円弧半径がＲ２に設定されている。この第２隅部１３は、図２の二点鎖線で示すように、使用者Ｐが上面部１０を手の平で覆うようにして支持部材１を握った場合には、通常、親指以外の指（人指し指から小指までの４本の指）で握られる部位となる。
【００４９】
ここで、上述した第１隅部１１及び第２隅部１３は、第１隅部１１の円弧半径Ｒ１と第２隅部１３の円弧半径Ｒ２とが異なる大きさとされ、第１隅部１１の円弧半径Ｒ１が第２隅部１３の円弧半径Ｒ２よりも大きく設定されている。
【００５０】
これにより、第１隅部１１の厚みを第２隅部１３の厚みよりも厚くできる分、親指で握られる第１隅部１１を人間工学の見地（親指は他の指と比較して厚みの薄いものよりも厚い方が握り易いという見地）に基づいて握り易くできる。一方、第２隅部１３の厚みを第１隅部１１の厚みよりも薄くできる分、親指以外の指で握られる第２隅部１３を人間工学の見地（親指以外の指は親指と比較して厚みの厚いものよりも薄い方が握り易いという見地）に基づいて握り易くできる。よって、使用者Ｐにとって支持部材１を握り易いものとすることができる。
【００５１】
また、第１隅部１１の厚みを第２隅部１３の厚みよりも厚くできる分、第１隅部１１への親指の接触面積を大きく確保することができ、支持部材１と親指との間に生じる摩擦力を高めることができる。一方、第２隅部１３の厚みを第１隅部１１の厚みよりも薄くできる分、第２隅部１３への親指以外の指の指先の引っ掛かりを良くすることができる。よって、使用者Ｐが支持部材１を握った場合に滑り難くできる。更に、第１隅部１１への親指の接触面積を大きく確保できると共に第２隅部１３への親指以外の指の指先の引っ掛かりを良くできる分、使用者Ｐが支持部材１を握った際の安定感を向上させることができる。
【００５２】
垂直面部１４は、第２隅部１３の端部であって上面部１０が連設される側とは反対側に連設される部位であり、図２に示すように、上面部１０に対して垂直な平坦面状に形成されている。また、図２に示すように、垂直面部１４は、第２隅部１３よりも第１隅部１１側へずれて位置すると共に、第２隅部１３に連設される側の端部１４ａが内方へ凹の円弧状に形成されている。
【００５３】
これにより、使用者Ｐが上面部１０を手の平で覆うようにして支持部材１を握った場合に、親指以外の指の指先を垂直面部１４の端部１４ａに引っ掛けることができる。よって、第２隅部１３への親指以外の指の指先の引っ掛かりを良くすることができ、使用者Ｐが支持部材１を握った場合に滑り難くできる。
【００５４】
下面部１５は、支持部材１の下面を形成する部位であり、図２に示すように、上面部１０に対して平行な平坦面状に形成されている。この下面部１５は、上述したように、固定部材２に支持される部位となる。
【００５５】
これにより、使用者Ｐが支持部材１で身体を支えた場合に、上方から使用者Ｐの体重が加えられる支持部材１を固定部材２により下方から支持することができる。よって、使用者Ｐの体重が加えられる方向とは反対方向から支持部材１を支持できるので、手すり１００全体としての支持強度を向上させることができる。
【００５６】
また、図２に示すように、下面部１５と平坦面部１２とが交わる角部および下面部１５と垂直面部１４とが交わる角部は、いずれも外方へ凸の円弧状に形成されており、かかる各角部に使用者Ｐが身体の一部をぶつけても怪我を負わないように、安全性が確保されている。
【００５７】
なお、本実施の形態では、第１隅部１１の円弧半径Ｒ１が１０ｍｍに、第２隅部１３の円弧半径Ｒ２が８ｍｍに、それぞれ設定されている。これにより、立ち上がりや歩行などの動作の補助を必要とする高齢者や成人の身障者にとって、支持部材１を握り易いものとすることができる。
【００５８】
次いで、図３を参照して、上述したように構成される手すり１００の使用方法について説明する。なお、図３では、使用者Ｐを二点鎖線で図示し、使用者Ｐが便器Ｓに座った状態から手すり１００を使用して立ち上がった後に歩行するまでの動作を時系列に示している。
【００５９】
使用者Ｐは、便器Ｓに座った状態から立ち上がろうとする場合には、まず、図３（ａ）に示すように、便器Ｓに座った状態のまま片方の手（通常、手すり１００に近い側の手）の手の平や肘などを支持部材１の上面部１０にのせる。
【００６０】
次いで、使用者Ｐは、図３（ｂ）に示すように、上面部１０にのせた手の平や肘などに体重をかけて支持部材１で身体を支えつつ便器Ｓに座った状態から立ち上がる。なお、この際には、手の平や肘などを支持部材１の上面部１０にのせて身体を支える以外にも、片方の手（通常、手すり１００に近い側の手）で支持部材１を握って身体を支えることもできる。
【００６１】
その後、使用者Ｐは、図３（ｃ）に示すように、支持部材１を握って身体を支えつつトイレＴの出口（図示せず）へ向かって歩行する。この場合、使用者Ｐは、通常、上面部１０を手の平で覆うようにして支持部材１を握るので、使用者Ｐに近い側の第１隅部１１は親指で握られる一方、使用者Ｐから遠い側の第２隅部１３は親指以外の指で握られる（図２参照）。これにより、上述したように、使用者Ｐにとって支持部材１を握り易く且つ滑り難いものとすることができる。なお、例えば、握力が弱く支持部材１をしっかりと握ることが困難な高齢者や身障者にあっては、上面部１０に手の平をのせて身体を支えることもできる。
【００６２】
このように、手すり１００によれば、例えば、握力が弱く支持部材１をしっかりと握ることが困難な高齢者や身障者にあっても、上面部１０に手の平や肘などをのせて身体を支えることができる。また、上述したように、上面部１０は、床面に対して平行な平坦面状に形成されているので、使用者Ｐが痛みを伴うことなく上面部１０に手の平や肘などをのせることができると共に、使用者Ｐが上面部１０に手の平や肘などをのせて身体を支えた場合に滑り難くできる。
【００６３】
次いで、図４を参照して、第２実施の形態における手すり２００について説明する。第２実施の形態における手すり２００は、第１実施の形態における手すり１００の支持部材１を変更したものである。以下、第１実施の形態と同一の部分については同一の符号を付して、その説明を省略する。図４は、第２実施の形態における手すり２００の断面図である。なお、図４では、手すり２００がトイレＴに設置された状態を示している。
【００６４】
まず、第２実施の形態における手すり２００の概略構成について説明する。手すり２００は、使用者の身体を支えるための支持部材２０１と、その支持部材２０１を支持してトイレＴの壁面Ｗに固定するための固定部材２（図１参照）とを備えて構成されている。
【００６５】
支持部材２０１は、第１実施の形態における手すり１００の支持部材１と同様に、トイレＴの床面Ｆに沿って水平に延設される部材であり、棒状に構成され、上面部１０を備えている。
【００６６】
次いで、図４を参照して、支持部材２０１の詳細構成について説明する。なお、図４では、支持部材２０１の長手方向と直交する断面を示している。また、図４では、使用者Ｐの手を二点鎖線で図示し、使用者Ｐが上面部１０を手の平で覆うようにして支持部材２０１を握った状態を示している。
【００６７】
図４に示すように、支持部材２０１は、長手方向と直交する断面において、第１隅部１１と、その第１隅部１１に連設される平坦面部２１２と、第２隅部１３と、その第２隅部１３に連設される傾斜面部２１６とを主に備えて構成されている。なお、支持部材２０１は、長手方向と直交する断面が長手方向の全域で一様とされている。
【００６８】
平坦面部２１２は、第１隅部１１の端部であって上面部１０が連設される側とは反対側に連設される部位であり、図４に示すように、上面部１０とのなす角度αが鋭角となるように第２隅部１３側へ傾斜する平坦面状に形成されている。この平坦面部２１２は、図４の二点鎖線で示すように、使用者Ｐが上面部１０を手の平で覆うようにして支持部材２０１を握った場合には、第１隅部１１の範囲からはみ出した親指の指先が接する部位となる。
【００６９】
これにより、使用者Ｐが上面部１０を手の平で覆うようにして支持部材２０１を握った場合に、親指の指先を平坦面部２１２に沿わせることができる。よって、第１実施の形態における手すり１００の場合と同様に、支持部材２０１への親指の接触面積をより大きく確保することができ、使用者Ｐが支持部材２０１を握った際の安定感を向上させることができると共に、使用者Ｐが支持部材２０１を握った場合に滑り難くできる。
【００７０】
また、平坦面部２１２は、上面部１０とのなす角度αが鋭角となるように第２隅部１３側へ傾斜して構成されているので、親指を無理に曲げなくとも指先を平坦面部２１２に沿わせることができる。即ち、第１隅部１１を親指で握ると、指先は必然的に第２隅部１３側を向くので、上面部１０とのなす角度αが鋭角となるように平坦面部２１２を第２隅部１３側へ傾斜させることで、親指を無理に曲げなくとも指先を平坦面部２１２に沿わせることができる。よって、使用者Ｐにとって支持部材２０１を一層握り易いものとすることができる。
【００７１】
傾斜部２１６は、第２隅部１３の端部であって上面部１０が連設される側とは反対側に連設される部位であり、図４に示すように、上面部１０とのなす角度βが鋭角となるように第１隅部１１側へ傾斜する平坦面状に形成されている。この傾斜面部２１６は、図４の二点鎖線で示すように、使用者Ｐが上面部１０を手の平で覆うようにして支持部材２０１を握った場合には、第２隅部１３の範囲からはみ出した親指以外の指の指先が接する部位となる。
【００７２】
これにより、使用者Ｐが上面部１０を手の平で覆うようにして支持部材２０１を握った場合に、親指以外の指の指先を傾斜面部２１６に沿わせることができる。よって、支持部材２０１への親指以外の指の接触面積をより大きく確保することができ、使用者Ｐが支持部材２０１を握った際の安定感を向上させることができる。
【００７３】
また、支持部材２０１への親指以外の指の接触面積をより大きく確保できる分、支持部材２０１と親指以外の指との間に生じる摩擦力を高めることができ、使用者Ｐが支持部材２０１を握った場合に滑り難くできる。更に、傾斜面部２１６を平坦面状に形成することで、親指以外の指を無理に曲げなくとも指先を傾斜面部２１６に沿わせることができ、使用者Ｐにとって支持部材２０１を握り易いものとすることができる。
【００７４】
また、傾斜面部２１６は、上面部１０とのなす角度βが鋭角となるように第１隅部１１側へ傾斜して構成されているので、親指以外の指を無理に曲げなくとも指先を傾斜面部２１６に沿わせることができる。即ち、第２隅部１３を親指以外の指で握ると、指先は必然的に第１隅部１１側を向くので、上面部１０とのなす角度βが鋭角となるように傾斜面部２１６を第１隅部１１側へ傾斜させることで、親指以外の指を無理に曲げなくとも指先を傾斜面部２１６に沿わせることができる。よって、使用者Ｐにとって支持部材２０１を一層握り易いものとすることができる。
【００７５】
ここで、上述した平坦面部２１２及び傾斜面部２１６は、平坦面部２１２と上面部１０とのなす角度αが傾斜面部２１６と上面部１０とのなす角度βよりも大きく設定されている。
【００７６】
これにより、平坦面部２１２の厚みを傾斜面部２１６の厚みよりも厚くできる分、親指で握られる平坦面部２１２を人間工学の見地（親指は他の指と比較して厚みの薄いものよりも厚い方が握り易いという見地）に基づいて握り易くできる。一方、傾斜面部２１６の厚みを平坦面部２１２の厚みよりも薄くできる分、親指以外の指で握られる傾斜面部２１６を人間工学の見地（親指以外の指は親指と比較して厚みの厚いものよりも薄い方が握り易いという見地）に基づいて握り易くできる。よって、使用者Ｐにとって支持部材２０１を一層握り易いものとすることができる。
【００７７】
また、平坦面部２１２の厚みを傾斜面部２１６の厚みよりも厚くできる分、平坦面部２１２への親指の接触面積を大きく確保することができ、支持部材２０１と親指との間に生じる摩擦力を高めることができる。一方、傾斜面部２１６の厚みを平坦面部２１２の厚みよりも薄くできる分、傾斜面部２１６への親指以外の指の指先の引っ掛かりを良くすることができる。よって、使用者Ｐが支持部材２０１を握った場合に一層滑り難くできる。更に、平坦面部２１２への親指の接触面積を大きく確保できると共に傾斜面部２１６への親指以外の指の指先の引っ掛かりを良くできる分、使用者Ｐが支持部材２０１を握った際の安定感を一層向上させることができる。
【００７８】
また、図４に示すように、傾斜面部２１６は、第２隅部１３に連設される側の端部２１６ａが外方へ凸の円弧状に形成され、その円弧半径が第２隅部１３の円弧半径Ｒ２よりも大きく設定されている。これにより、上述したように構成される支持部材２０１にあっても、端部２１６ａの円弧半径を任意に設定することで、支持部材２０１全体としての周長を調整して、支持部材２０１のサイズを容易に変更することができる。
【００７９】
なお、本実施の形態では、第１隅部１１の円弧半径Ｒ１が１５ｍｍに、第２隅部１３の円弧半径Ｒ２が７ｍｍに、それぞれ設定されている。これにより、立ち上がりや歩行などの動作の補助を必要とする高齢者や成人の身障者にとって、支持部材２０１を握り易いものとすることができる。
【００８０】
次いで、図５を参照して、第３実施の形態における手すり３００について説明する。第３実施の形態における手すり３００は、上記各実施の形態における手すり１００，２００の支持部材１，２０１を変更したものである。以下、上記各実施の形態と同一の部分については同一の符号を付して、その説明を省略する。図５は、第３実施の形態における手すり３００の断面図である。なお、図５では、手すり３００がトイレＴに設置された状態を示している。
【００８１】
まず、第３実施の形態における手すり３００の概略構成について説明する。手すり３００は、使用者の身体を支えるための支持部材３０１と、その支持部材３０１を支持してトイレＴの壁面Ｗに固定するための固定部材２（図１参照）とを備えて構成されている。
【００８２】
支持部材３０１は、上記各実施の形態における手すり１００，２００の支持部材１，２０１と同様に、トイレＴの床面Ｆに沿って水平に延設される部材であり、棒状に構成され、上面部１０を備えている。
【００８３】
次いで、図５を参照して、支持部材３０１の詳細構成について説明する。なお、図５では、支持部材３０１の長手方向と直交する断面を示している。また、図５では、使用者Ｐの手を二点鎖線で図示し、使用者Ｐが上面部１０を手の平で覆うようにして支持部材３０１を握った状態を示している。
【００８４】
図５に示すように、支持部材３０１は、長手方向と直交する断面において、第１隅部１１と、その第１隅部１１に連設される平坦面部３１２と、第２隅部１３とを主に備えて構成されている。なお、支持部材３０１は、長手方向と直交する断面が長手方向の全域で一様とされている。
【００８５】
平坦面部３１２は、一端部が第１隅部１１の端部であって上面部１０が連設される側とは反対側に連設される部位であり、図５に示すように、平坦面状に形成されると共に、他端部が第２隅部１３の端部であって上面部１０が連設される側とは反対側に連設されている。この平坦面部３１２は、図５の二点鎖線で示すように、使用者Ｐが上面部１０を手の平で覆うようにして支持部材３０１を握った場合には、第１隅部１１の範囲からはみ出した親指の指先が接する部位となる。
【００８６】
これにより、使用者Ｐが上面部１０を手の平で覆うようにして支持部材３０１を握った場合に、親指の指先を平坦面部３１２に沿わせることができる。よって、上記各実施の形態における手すり１００，２００の場合と同様に、支持部材３０１への親指の接触面積をより大きく確保することができ、使用者Ｐが支持部材３０１を握った際の安定感を向上させることができると共に、使用者Ｐが支持部材３０１を握った場合に滑り難くできる。
【００８７】
また、平坦面部３１２は、第２隅部１３に連設されているので、親指と共に、第２隅部１３の範囲からはみ出した親指以外の指の指先を平坦面部３１２に沿わせることができる。よって、支持部材３０１への親指以外の指の接触面積をより大きく確保することができ、使用者Ｐが支持部材３０１を握った際の安定感を一層向上させることができる。
【００８８】
また、支持部材３０１への親指以外の指の接触面積をより大きく確保できる分、支持部材３０１と親指以外の指との間に生じる摩擦力を高めることができ、使用者Ｐが支持部材３０１を握った場合に一層滑り難くできる。更に、親指の指先および親指以外の指の指先を全て平坦面部３１２に沿わせることができるので、親指以外の指の指先を沿わせるため部位を別に設ける必要がなく、支持部材３０１の構成を簡素化できる。
【００８９】
また、図５に示すように、平坦面部３１２は、第２隅部１３に連設される側の端部３１２ｂが外方へ凸の円弧状に構成され、その円弧半径が第２隅部１３の円弧半径Ｒ２よりも大きく設定されている。これにより、上述したように構成される支持部材３０１にあっても、端部３１２ｂの円弧半径を任意に設定することで、支持部材３０１全体としての周長を調整して、支持部材３０１のサイズを容易に変更することができる。
【００９０】
なお、本実施の形態では、第１隅部１１の円弧半径Ｒ１が１５ｍｍに、第２隅部１３の円弧半径Ｒ２が８ｍｍに、それぞれ設定されている。これにより、立ち上がりや歩行などの動作の補助を必要とする高齢者や成人の身障者にとって、支持部材３０１を握り易いものとすることができる。
【００９１】
ここで、上記各実施の形態において説明した平坦面状とは、表面に凹凸がないことを意味するものではなく、断面において表面が直線状に構成されていることを意味するものである。
【００９２】
以上、実施の形態に基づき本発明を説明したが、本発明は上記実施の形態に何ら限定されるものではなく、本発明の趣旨を逸脱しない範囲内で種々の改良変更が可能であることは容易に推察できるものである。
【００９３】
例えば、上記各実施の形態で挙げた数値（第１隅部１１の円弧半径Ｒ１及び第２隅部１３の円弧半径Ｒ２）は一例であり、他の数値を採用することは当然可能である。
【００９４】
上記各実施の形態では、手すり１００，２００，３００がトイレＴに設置される場合を説明したが、必ずしもこれに限られるものではなく、例えば、手すり１００，２００，３００を浴室や洗面所などに設置しても良く、或いは、廊下や階段などの通路に沿って設置しても良い。
【００９５】
なお、本発明の手すりを階段に設置した場合には、請求項１における床面に沿って水平との記載は、階段により接続される高い側の床面と低い側の床面とを仮想的に結ぶ傾斜した仮想平面を床面とし、かかる仮想平面に沿って水平であることを含む趣旨である。また、請求項１における床面に対して平行との記載は、支持部材の長手方向と直交する断面において床面に対して平行であることを含む趣旨である。
【００９６】
上記各実施の形態では、固定部材２がトイレＴの壁面Ｗに取り付けられ、固定部材２により支持部材１，２０１，３０１がトイレＴの壁面Ｗに固定される場合を説明したが、必ずしもこれに限られるものではなく、例えば、固定部材２をトイレＴの床面Ｆに取り付けて、固定部材２により支持部材１，２０１，３０１をトイレＴの床面Ｆに固定するように構成しても良い。
【００９７】
上記実施の形態では、支持部材１，２０１，３０１がトイレＴの壁面Ｗに固定される場合を説明したが、必ずしもこれに限られるものではなく、例えば、固定部材２により支持部材１，２０１，３０１を揺動可能に支持して、支持部材１，２０１，３０１をトイレＴの壁面Ｗ側へ折りたたみ可能に構成しても良い。
【００９８】
上記各実施の形態では、支持部材１，２０１，３０１の長手方向と直交する断面が長手方向の全域で一様とされる場合を説明したが、必ずしもこれに限られるものではなく、支持部材１，２０１，３０１の長手方向と直交する断面を長手方向の位置に応じて変更して、長手方向の所定位置（例えば、通常、使用者Ｐに握られる支持部材１，２０１，３０１の略中央部）のみを上記各実施の形態で説明した断面形状としても良い。
【００９９】
上記第１実施の形態では、平坦面部１２が第１隅部１１よりも第２隅部１３側へずれて位置すると共に、垂直面部１４が第２隅部１３よりも第１隅部１１側へずれて位置する場合を説明したが、必ずしもこれに限られるものではなく、平坦面部１２を第１隅部１１の最外周と接するように位置させても良く、或いは、垂直面部１４を第２隅部１３の最外周と接するように位置させても良い。また、上記第２実施の形態では、平坦面部２１２と上面部１０とのなす角度αが傾斜面部２１６と上面部１０とのなす角度βよりも大きく設定される場合を説明したが、必ずしもこれに限られるものではなく、平坦面部２１２と上面部１０とのなす角度αと傾斜面部２１６と上面部１０とのなす角度βとを同等に設定しても良い。これらの場合には、いずれも支持部材１の構成を簡素化できる。
【図面の簡単な説明】
【０１００】
【図１】第１実施の形態における手すりの斜視図である。
【図２】図１（ａ）のＩＩ−ＩＩ線における手すりの断面図である。
【図３】（ａ）から（ｃ）は、手すりの使用方法を説明する図である。
【図４】第２実施の形態における手すりの断面図である。
【図５】第３実施の形態における手すりの断面図である。
【符号の説明】
【０１０１】
１００，２００，３００    手すり
１，２０１，３０１        支持部材
１０                      上面部
１１                      第１隅部
１２，２１２，３１２      平坦面部
１３                      第２隅部
２１６                    傾斜面部
Ｆ                        床面
Ｐ                        使用者
Ｒ１                      第１隅部の円弧半径
Ｒ２                      第２隅部の円弧半径
α                        平坦面部と上面部とのなす角度
β                        傾斜面部と上面部とのなす角度
【図１】
2010138665.tif 000003
【図２】
2010138665.tif 000004
【図３】
2010138665.tif 000005
【図４】
2010138665.tif 000006
【図５】
2010138665.tif 000007